(57)【要約】本発明は、バッテリの温度を定める方法であって、以下の処理工程、即ち、ａ）少なくとも１つのバッテリセルの充電状態を定める工程と、ｂ）少なくとも１つのバッテリセルを通る電流（ＩＬ、ＩＥ）の流れが止められた直後に、当該少なくとも１つのバッテリセルの開放電圧（ＶＬ１、ＶＬ２）の変化量を定める工程と、ｃ）充電状態、及び、開放電圧（ＶＬ１、ＶＬ２）の変化量に基づいて、少なくとも１つのバッテリセルの温度を定める工程と、を有する方法に関する。上記方法は安価なやり方で、バッテリの特に安全で、長期の安定した駆動を可能にする。【選択図】図１
2017511566.tif 000002
【特許請求の範囲】
【請求項１】
バッテリの温度を定める方法であって、以下の処理工程、即ち、
ａ）少なくとも１つのバッテリセルの前記充電状態を定める工程と、
ｂ）前記少なくとも１つのバッテリセルを通る電流（ＩＬ、ＩＥ）の流れが止められた直後に、当該少なくとも１つのバッテリセルの開放電圧（ＶＬ１、ＶＬ２）の変化量を定める工程と、
ｃ）前記充電状態、及び、前記開放電圧（ＶＬ１、ＶＬ２）の前記変化量に基づいて、前記少なくとも１つのバッテリセルの前記温度を定める工程と、
を有する方法。
【請求項２】
前記処理工程ｃ）は、前記開放電圧（ＶＬ１、ＶＬ２）の時間変化を利用して実行されることを特徴とする、請求項１に記載の方法。
【請求項３】
前記処理工程ｃ）は、前記開放電圧（ＶＬ１、ＶＬ２）の前記変化量の全プロフィールを利用して実行されることを特徴とする、請求項２に記載の方法。
【請求項４】
前記方法はバッテリ制御システムによって実行されることを特徴とする、請求項１〜３のいずれ１項に記載の方法。
【請求項５】
前記処理工程ｃ）は、特に前記バッテリ制御システムに格納されたデータセットに基づいて実行されることを特徴とする、請求項１〜４のいずれか１項に記載の方法。
【請求項６】
前記定められた温度は、温度センサの利用によって検証されることを特徴とする、請求項１〜５のいずれか１項に記載の方法。
【請求項７】
前記開放電圧（ＶＬ１、ＶＬ２）の前記変化量は、周期的に定められることを特徴とする、請求項１〜６のいずれか１項に記載の方法。
【請求項８】
前記開放電圧（ＶＬ１、ＶＬ２）の前記変化量は、前記バッテリの回復段階の間に定められることを特徴とする、請求項１〜７のいずれか１項に記載の方法。
【請求項９】
前記バッテリは、リチウムイオンバッテリであることを特徴とする、請求項１〜８のいずれか１項に記載の方法。
【請求項１０】
少なくとも１つのバッテリセルを含むバッテリを有するバッテリシステムであって、
前記バッテリセルの前記充電状態を定める手段と、
前記少なくとも１つのバッテリセルを通る電流（ＩＬ、ＩＥ）の流れが止められた直後に、当該少なくとも１つのバッテリセルの開放電圧（ＶＬ１、ＶＬ２）の変化量を定める手段と、
前記充電状態、及び、前記開放電圧（ＶＬ１、ＶＬ２）の前記時間変化に基づいて温度を定める手段と、
がさらに設けられることを特徴とする、バッテリシステム。
【発明の詳細な説明】
【技術分野】
【０００１】
本発明は、バッテリの温度を定める方法に関する。本発明は、特に、セル温度を正確に定めることにより精度が改善された、温度を定める方法に関する。
【背景技術】
【０００２】
例えばリチウムイオンバッテリのような電気化学的な貯蔵器は、日々の多くの適用において広く普及している。電気化学的な貯蔵器は、例えば、ラップトップ、携帯電話、スマートフォンのようなコンピュータ、及び、他の適用において使用されている。現在非常に進められている、例えば自動車等の車両の電化においても、このようなバッテリは、利点をもたらす。
【０００３】
バッテリ又はバッテリセルの駆動温度は、重要な駆動パラメータであることが多い。例えば、温度は、バッテリの効率及び耐久年数に大きな影響を与えうる。なぜならば、温度が上昇した際にはバッテリの効率が下がり、さらに耐久年数も短くなりうるからである。従って、リチウムイオン蓄電池のようなバッテリの駆動温度の測定は、バッテリの駆動にとって重要である。
【０００４】
米国特許第６９０２３１９号明細書には、熱源とバッテリとの間の熱移動に基づいて車両バッテリの内部温度を推定する方法が記載されている。
【０００５】
米国特許出願公開第２０１２／０１０９５５４号明細書には、バッテリ内のセルの深部の温度を推定する方法が開示されている。このような方法では、２つの推定が実行され、重み係数が適用され、続いて、重み付けられた第１の推定及び第２の推定の関数によって、深部の温度が推定される。
【発明の概要】
【課題を解決するための手段】
【０００６】
本発明の主題は、バッテリの温度を定める方法であって、以下の処理工程、即ち、
ａ）少なくとも１つのバッテリセルの充電状態を定める工程と、
ｂ）少なくとも１つのバッテリセルを通る電流の流れが止められた直後に、当該少なくとも１つのバッテリセルの開放電圧の変化量を定める工程と、
ｃ）充電状態、及び、開放電圧の変化量に基づいて、少なくとも１つのバッテリセルの温度を定める工程と、を有する方法である。
【０００７】
上記方法によって、特に厳密で最も安価なやり方で、バッテリの温度を定めることが可能となる。本方法では、バッテリの温度を定める際に、詳細には、１つのバッテリセル又は複数のバッテリセルの温度が定められる。
【０００８】
これにより、上記方法は、バッテリセル、従ってバッテリの温度を定めるために寄与する。バッテリの温度は、バッテリの駆動時には非常に重要な役割を果たす。その根拠としては、例えば、バッテリが加熱された際にはバッテリが所謂熱暴走を起こしうることが挙げられる。過熱は、例えば、内部でのセルの故障によって、又は、外部からの温度の影響によっても起こりうる。
【０００９】
その際に、基本的には公知であるように、このような故障は、特にバッテリセルの内部で起こり、複数の段階を経て進行する可能性があり、その際に、各進行段階で、比較的大きな損傷が引き起こされる可能性がある。過熱された際には、例えば、アノード等に配置された電解質層、又は、電解質とアノードとの間に配置された保護層が損傷又は分解されることになる可能性があり、これにより、電解質の構成材料が、例えば炭素のようなアノード物質と発熱反応を起こす可能性があり、これにより、セルの温度がさらに上がる可能性がある。その際に、このような発熱過程は、例えば、アノードで進行する過程をさらに加速させる可能性があり、その際に、このように生成された熱が、例えば電解質中に存在しうる有機溶剤を分解する可能性がある。これによりさらに、例えばエタン、メタン、又は他の炭化水素のような可燃性ガスが放出される可能性がある。例えば、電解質の分解によるこのようなガスの形成によってさらに、セルの内部で圧力上昇が引き起こされ、更なる損傷がもたらされる可能性がある。
【００１０】
以上のことから、正確な温度測定が、バッテリの安全な駆動にとって、さらにはバッテリの十分に長い耐用年数にとって、非常に注目すべきことであることが明らかになる。
【００１１】
これらのことを実現するために、上記方法は、処理工程ａ）によれば、少なくとも１つのバッテリセルの充電状態を定める工程を含む。本処理工程は、それ自体は公知のやり方で、当業者には基本的に知られているように、バッテリ制御システムによって行われうる。バッテリの充電状態は、ＳＯＣ（Ｓｔａｔｅ  Ｏｆ  Ｃｈａｒｇｅ）とも呼ばれ、非限定的なやり方で、例えば、バッテリ電圧の監視によって定めることが可能である。なぜならば、バッテリ電圧は充電状態と相関しているからである。さらに、例えば、流れる電流を時間で積分することが可能であり、又は、カルマンフィルタ（Ｋａｌｍａｎ−Ｆｉｌｔｅｒ）を利用することが可能である。しかしながら、少なくとも１つのバッテリセルの温度を定める工程は、上記方法には限定されない。その際に、全てのバッテリセルの充電状態が定められてもよく、又は、例えば直列に接続された複数のバッテリセルの各バッテリセル又は個別バッテリセルの充電状態が、処理工程ａ）に従って定められてもよい。１つのバッテリセル又は複数のバッテリセルの充電状態を利用することは、本方法にとって、以下の理由から有利であり、即ち、バッテリの駆動時に、充電状態はいずれにせよ測定されていることが多く、従って、そのための技術的前提条件が、既にバッテリ制御システムで整っているため有利でありうる。さらに、充電状態は、以下で解説するように、少なくとも１つのバッテリセルの温度を決定するための可能なパラメータを提供する。
【００１２】
処理工程ｂ）によれば、本発明は、少なくとも１つのバッテリセルを通る電流の流れが止められた直後に、当該少なくとも１つのバッテリセルの開放電圧の変化量を定める工程をさらに含む。従って、本処理工程では、電流の流れが止められた後で（例えば電気的接続の遮断によるバッテリセルの切断、又は全消費機器の停止により実現可能）、バッテリセルの開放電圧（Ｖｏｃ）がどのように変化するのかが定められる。詳細には、流れる電流が遮断された場合には、ほぼ全ての充電状態における開放電圧の変化量が決定可能であることが確認されうる。例えば、放電電流が或る一定の期間利用され、その際に、開放電圧が、放電によって、時間が経つにつれて下がる場合には、例えばセルが停止された際に放電電流が止められた際には、電流が止められた直後に、開放電圧のドリフト（Ｄｒｉｆｔ）が観察されうる。この場合詳細には、開放電圧の電圧上昇が観察されうる。他方では、或る一定の期間のバッテリ又はセルの充電電流において、従って、例えばセルの切断により、充電電流が止められた直後の経時的な電圧上昇において、開放電圧のドリフトが定められ、その際に、開放電圧は、充電電流が止められた後に降下する。
【００１３】
その際に、それ自体は公知のやり方で、例えば１つのセル又は複数のセルで、当該セルを通る電流の流れが止められ、その際に、対応する開放されている極で電圧が測定されることで、開放電圧が定められうる。その際に、電圧の変化又は電圧ドリフトを定めるために、電圧は、特に比較的長い期間に渡って測定される。
【００１４】
さらに、本方法は、処理工程ｃ）によれば、充電状態、及び、開放電圧の変化量に基づいて、少なくとも１つのバッテリセルの温度を定め、これによりバッテリの温度を定める工程を含む。本処理工程は、特に、流れる電流が止められた後の開放電圧の上記のドリフトが、流れている電流が放電電流又は充電電流であるかには依存せずに、特に、少なくとも１つのバッテリセルの充電状態及び温度に依存することに基づいている。これにより、本発明に係る方法は、既知の又は一定の充電状態において温度が変化した際には、電流の流れが止められた後の開放電圧の変化量も同様に、温度の変化に従って変化することに基づいている。従って、開放電圧の上昇又は降下は、バッテリセルの温度を定めるための示唆として機能しうる。
【００１５】
その際に、１つ以上のバッテリセルの開放電圧が個別に定められた場合については、当該１つ以上のバッテリセルの温度を別々に定めることが可能であり、又は、特に直列に接続された１つ以上のバッテリセルの開放電圧が一緒に定められた場合には、複数のバッテリセルの平均温度を定めることが可能である。
【００１６】
従って、温度を定めるための上記方法によって、少なくとも１つのバッテリセルの充電状態及び開放電圧の変化量を利用して、間接的なやり方で温度を定めることが可能となる。その際に、上記方法には、先行技術で公知の測定方法と比較して重要な利点がある。
【００１７】
上記方法によって、バッテリの温度が特に正確に測定することが可能である。なぜならば、特に、１つのバッテリセル又は複数のバッテリセルの内部で形成される温度を推定出来るからである。このことは、例えばバッテリの温度がバッテリハウジングの外で定められる場合、バッテリの内部の値と常に対応するわけではないため、特に重要でありうる。さらに、特に、温度の上昇によるエラーの場合には、より大きな損傷を回避するために、非常に迅速な応答が必要となる可能性がある。その際には、セル内部の温度が直接的に定められることにより、特に動的に応答することが可能である。なぜならば、セルの内部の温度上昇は、ハウジングの外側に配置されたセンサでは、時間的に遅れてようやく定められることが多いからである。
【００１８】
さらに、上記方法は、温度センサの数を減らしても可能となり、又は、温度センサを完全に無くすことも可能である。これにより、上記方法によって、著しいコスト削減が可能となる。なぜならば、１つには、センサのためのコストを節約出来るからである。さらに、ほぼ、コストが掛けて更に組み込むことなく、上記方法は実行可能である。コストが掛かる組込みとは反対に、上記方法は、簡単なやり方で、問題無く定められる測定データを用いて、特にバッテリ制御システムにより実行することが可能であり、従って、本方法は、簡単なやり方で、最小コストで、既存のシステムで実現可能である。
【００１９】
さらに、温度センサの数を減らすことにより重量を減らすことが出来るという更なる別の利点がある。このことは、特に、例えば電気で駆動する車両のような移動型の適用において重要となりうる。
【００２０】
さらに、追加的なアクティブな構成要素が無いことでメンテナンス費用が常に下がり、さらに、損傷への潜在的可能性が下げられるため、バッテリの耐用年数がさらに延びる。
【００２１】
以上、バッテリの温度を定めるための上記方法によって、バッテリの特に安価で完全な駆動と、さらに、バッテリの特に長い耐用年数が可能となる。
【００２２】
一構成の枠組みにおいて、処理工程ｃ）は、開放電圧の時間変化を利用して若しくは開放電圧の変化の時定数を利用して、又は、開放電圧の変化量の全プロフィールを利用して実行されうる。本構成では、特に、ドリフトの時定数（τ）が定められて本方法のために利用される場合に、開放電圧の変化量が特に時間の関数として定められ、評価されうる。本構成において、既に厳密な温度検出が可能となりうる。なぜならば、時定数は既に、そのときの温度に依存することが多く、これにより既に、温度の厳密な測定結果が可能となるからである。ここでは時定数とは、特に、開放電圧の変化の特徴的な値であって、開放電圧が一定になるまでの変化の純粋な時間に関する上記値として理解され、又は、指数関数的に上がり又は下がることが多い過程としての充電電圧の変化が要する時間ｔ＝Ｔ１／ｅであって、その初期値の１／ｅまで下がり又は初期値の１／ｅ分だけ上がるのに要する上記時間ｔ＝Ｔ１／ｅとして理解されうる。但し、Ｔは温度を表す。
【００２３】
さらに、開放電圧の純粋な時間変化の他に、開放電圧の変化量の全プロフィールを監視することが可能である。全プロフィールを監視する際には、時間的成分の他に、少なくとも、開放電圧の変化の大きさも考慮することが可能である。特に、本構成によって、１つのバッテリセル又は複数のバッテリセルの温度の特に厳密な検出が可能となる。
【００２４】
他の構成の枠組みにおいて、本方法は、バッテリ制御システムによって実行されうる。バッテリ管理システムとも呼ばれるこのようなシステムは、バッテリを駆動するために既に存在していることが多い。その際にバッテリ制御システムは、本方法を実行しうるために、コストが掛かる構成又は改良を必要としない。なぜならば、開放電圧及び充電状態等の、本方法で利用されるパラメータは、バッテリの駆動の枠組みにおいて大抵は問題無く測定出来るからである。これにより、上記パラメータに基づき温度がそれにより検出可能な適切な命令のみ、制御システムに導入されればよい。
【００２５】
他の構成の枠組みにおいて、処理工程ｃ）は、特にバッテリ制御システムに格納されたデータセットに基づいて実行されうる。本構成では、本方法が特に簡単に、バッテリ制御システムで実現されうる。簡単なやり方で、所定の充電状態における開放電圧のドリフトに関するパラメータと温度とを対応付けるデータを、バッテリ制御システムのメモリに入力し、そこに格納するだけでよい。このようなデータセットは、簡単なやり方で作成することが可能である。なぜならば、対応するパラメータが、既知の依存性に基づき、単に試みるだけで問題無く獲得されるからである。バッテリ制御システムは、所与のセル又は複数のセルの充電状態が定められた際に、簡単なやり方で温度に対応付けることが可能である。
【００２６】
他の構成の枠組みにおいて、定められた温度が、温度センサの利用によって検証されうる。本構成では、特に信頼性の高い温度の決定が可能となる。なぜならば、例えば、充電状態に対する温度の依存性がセルの内部での損傷又は劣化の影響によって変化したことが十分に推測されるからである。例えば、温度センサは、バッテリの目立たぬ位置に存在してもよく、その際に、温度センサを介して定められた温度と、上記方法によって定められた温度と、の照合を可能とする。その際に、２つの温度値の対応する相関が同一の状態にあるか、又は当該相関が変化しているかを定めることが可能である。このようにして、バッテリの長い動作時間の後に正しい温度検出が保証されうる。
【００２７】
他の構成の枠組みにおいて、開放電圧の変化量が周期的に定められる。本構成では、バッテリの長期間の駆動も監視するために、開放電圧の変化量が定められうる。このために、例えば周期的に、複数のセルの個々のセルを消費機器から分離し、このようにしてセルを通って電流が流れることが防止され、これにより、必要なパラメータの決定が可能となる。その際にさらに、開放電圧の変化に基づいて、バッテリの温度を対応して周期的に定めることが可能であり、その際に、１つのバッテリセル又は複数のバッテリセルの充電状態が推定され、又は、１つのバッテリセル又は複数のバッテリセルの充電状態も同様に対応して周期的に定められる。
【００２８】
これにより、本構成では、バッテリの温度は、全バッテリが停止されている際又は静止状態にある際にのみ得られるのではなく、特に複数のバッテリセルを有するモジュールで配電器に引き続きエネルギーが供給される場合にも得られる。例えば電気で駆動する車両の場合には、このことは例えば、車両が引き続き駆動される場合にもバッテリの温度が定められることを意味しうる。これにより、本構成において、電気的に供給される構成要素の駆動が、特に確実に行われる。
【００２９】
他の構成の枠組みにおいて、開放電圧の変化量は、バッテリの回復段階の間に定められうる。本構成では、回復段階の間に、電流の回収によって電流が一時的に例えば抵抗を介して誘導され、この時間の間に開放電圧が決定されうる。ここでは車両で、例えば、理論的には、加速されていない全ての時点に、１つのセル又は複数のセルの開放電圧の推移から温度を決定することが可能である。実際には、この形態による開放電圧の決定は、どの機会でも可能なわけではなく、例えば、所定の時間間隔の後で、又は、例えば比較的長い期間に渡る充電負荷又は放電負荷等の、特定の電流負荷が掛かった後に行われうる。
【００３０】
他の構成の枠組みにおいて、バッテリは、リチウムイオンバッテリでありうる。本構成では、上記の温度測定方法は、特に明らかに、効率良く可能でありうる。詳細には、例えば、ニッケル（Ｎｉ）、コバルト（Ｃｏ）、マグネシウム（Ｍｇ）｛ＮｉＣｏＭｇ｝を含む複合材料、又は、ニッケル（Ｎｉ）、マンガン（Ｍｎ）、アルミニウム（Ａｌ）｛ＮｉＭｎＡｌ｝を含む複合材料、コバルト酸化物、又は、マンガン酸化物によるリチウムイオンバッテリの場合、開放電圧のドリフトは、様々な電極材料において拡散係数が不均一であることの１つの帰結でありうる。ドリフトはさらに、カソード又はアノードの組成が変化したことの１つの帰結でありうる。例えば、リチウムイオンバッテリの場合、アノードは、当該アノードが、例えばグラファイトの形態による炭素、又は、シリコン・スズ・炭素複合材料、又は、純粋なシリコンを有する場合、様々な充電状態において、様々な相によるＬｉｘＣを形成し、但し、ｘは、挿入されるリチウムの数を意味する。その際に、様々な相による上記構成は、炭素に分解されず、他の材料でも、例えばチタンを有する電極で発生しうる。電流の流れが止められた場合には、リチウムイオン（Ｌｉ＋）の拡散の固有の変化が、リチウムイオン（Ｌｉ＋）の拡散係数の変化の１つの結果として、電極材料の組成が不均一であることの１つの帰結として起きる。
【００３１】
本発明に係る方法の更なる別の技術的特徴及び利点に関しては、本発明に係るバッテリシステム、図面、及び図面についての記載に関連する解説が明示的に参照される。
【００３２】
本発明の主題は、さらに、上記のように構成された方法を実行するよう構成されたバッテリシステムに関する。対応して、このようなバッテリシステムは、消費機器に電力を供給するための少なくとも１つのバッテリセルを有するバッテリを備える。例えば、バッテリは、リチウムイオンバッテリでありうる。上記方法を実行しうるために、バッテリシステム又はバッテリは、まず、少なくとも１つのバッテリセルの充電状態を定める手段を備える。これは、例えば、当業者には基本的に公知であるように、定められたパラメータに基づいて充電状態を定めることが可能なバッテリ制御システムでありうる。
【００３３】
さらに、バッテリシステムは、少なくとも１つのバッテリセルを通る電流の流れが止められた直後に、当該少なくとも１つのバッテリセルの開放電圧の変化量を定める手段を備える。これは、それ自体は公知の形態による、例えばバッテリセルの２つの極の電圧を測定することが可能な電圧計でありうる。
【００３４】
最後に、バッテリシステムは、充電状態、及び、開放電圧の変化量に基づいて、少なくとも１つのバッテリセルの温度を定める手段を備える。この手段は、定められたデータと、メモリに格納されたデータセットと、を用いて少なくとも１つのバッテリセル又はバッテリの温度を定めるバッテリ制御システムでありうる。
【００３５】
上記手段の具体的な構成に関しては、さらに、バッテリの温度を定める方法についての先の記載を参照されたい。
【００３６】
上記のバッテリシステムによって、バッテリセル又はバッテリの温度の特に簡単で安価で、さらに特に正確な決定と、これに伴い、特に安価で安全な駆動と、さらに、特に長い耐用年数と、が可能となる。
【００３７】
本発明に係るバッテリシステムの更なる別の技術的特徴及び利点に関しては、本発明に係る方法、図面、及び図面についての記載に関連する解説が明示的に参照される。
【図面の簡単な説明】
【００３８】
本発明に係る主題の更なる利点及び有利な構成が、図面によって具体的に示され、以下の明細書の記載において解説される。図面は単に解説するためのものであり、本発明を何らかの形で限定することは意図されていないことに注意されたい。
【図１】本発明に係る方法を解説する概略図を示す。
【発明を実施するための形態】
【００３９】
図１には、所与の温度及び所与の充電状態にある例えばリチウムイオンバッテリのようなバッテリでの、電流ＩＬ、ＩＥ（上の範囲）の流れが止められた後の開放電圧ＶＬ１、ＶＬ２の変化（下の範囲）を示すグラフが示されている。
【００４０】
詳細には、図１のグラフは、時間ｔに対する電圧Ｖ及び電流Ｉの推移を示している。その際に、充電過程（充電電流ＩＬ）が例えば時点ｔ２に終了し、又は、放電過程（放電電流ＩＥ）が例えばｔ１に終了する場合に、開放電圧ＶＬ１、ＶＬ２の変化量が、充電状態の全ての値で、時間の関数として定められることが分かる。図１に関して、放電電流ＩＥは、時点ｔ１までの期間の間利用され、その際に、電圧Ｖの降下が起き、即ち、最大電圧Ｖｍａｘから最小電圧Ｖｍｉｎまでの電圧Ｖの降下が起きる。セルが切断され、これにより、時点ｔ１に放電電流ＩＥの流れが止められた結果、開放電圧ＶＬ１の電圧ドリフトが生じ、図１では、結果的に、値Ｖ１へと（Ｖ１−Ｖｍｉｎ）の値の分だけ開放電圧ＶＬ１が上昇している。他方では、充電電流ＩＬを利用してバッテリが充電される場合に、電圧が、電圧Ｖ１から最大電圧Ｖｍａｘに上昇する。時点ｔ２にセルが切断された場合には、開放電圧ＶＬ２が値Ｖｍｉｎに下がる。
【００４１】
示される開放電圧ＶＬ１、ＶＬ２のドリフトは、ここでは、温度のための示唆として機能し、その際に、開放電圧ＶＬ１、ＶＬ２の変化の時定数、又は、開放電圧ＶＬ１、ＶＬ２の変化量の全プロフィールが利用されうる。
【００４２】
このようにして、例えば、バッテリ制御システムによって、例えば、特にバッテリ制御システムに格納されたデータセットに基づいて、少なくとも１つのバッテリセルの充電状態が定められ、少なくとも１つのバッテリセルを通る電流ＩＬ、ＩＥの流れが止められた後で、当該少なくとも１つのバッテリセルの開放電圧ＶＬ１、ＶＬ２の変化量が定められた際に、少なくとも１つのバッテリセルの温度が、充電状態、及び、開放電圧ＶＬ１、ＶＬ２の変化量に基づいて定められうる。
【図１】
2017511566.tif 000003
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
バッテリの温度を定める方法であって、以下の処理工程、即ち、
ａ）少なくとも１つのバッテリセルの前記充電状態を定める工程と、
ｂ）前記少なくとも１つのバッテリセルを通る電流（ＩＬ、ＩＥ）の流れが止められた直後に、当該少なくとも１つのバッテリセルの開放電圧（ＶＬ１、ＶＬ２）の変化量を定める工程と、
ｃ）前記充電状態、及び、前記開放電圧（ＶＬ１、ＶＬ２）の前記変化量に基づいて、前記少なくとも１つのバッテリセルの前記温度を定める工程と、
を有する方法。
【請求項２】
前記処理工程ｃ）は、前記開放電圧（ＶＬ１、ＶＬ２）の時間変化を利用して実行されることを特徴とする、請求項１に記載の方法。
【請求項３】
前記処理工程ｃ）は、前記開放電圧（ＶＬ１、ＶＬ２）の前記変化量の全プロフィールを利用して実行されることを特徴とする、請求項２に記載の方法。
【請求項４】
前記方法はバッテリ制御システムによって実行されることを特徴とする、請求項１〜３のいずれ１項に記載の方法。
【請求項５】
前記処理工程ｃ）は、データセットに基づいて実行されることを特徴とする、請求項１〜４のいずれか１項に記載の方法。
【請求項６】
前記処理工程ｃ）は、前記バッテリ制御システムに格納されたデータセットに基づいて実行されることを特徴とする、請求項５に記載の方法。
【請求項７】
前記定められた温度は、温度センサの利用によって検証されることを特徴とする、請求項１〜６のいずれか１項に記載の方法。
【請求項８】
前記開放電圧（ＶＬ１、ＶＬ２）の前記変化量は、周期的に定められることを特徴とする、請求項１〜７のいずれか１項に記載の方法。
【請求項９】
前記開放電圧（ＶＬ１、ＶＬ２）の前記変化量は、前記バッテリの回復段階の間に定められることを特徴とする、請求項１〜８のいずれか１項に記載の方法。
【請求項１０】
前記バッテリは、リチウムイオンバッテリであることを特徴とする、請求項１〜９のいずれか１項に記載の方法。
【請求項１１】
少なくとも１つのバッテリセルを含むバッテリを有するバッテリシステムであって、
前記バッテリセルの前記充電状態を定める手段と、
前記少なくとも１つのバッテリセルを通る電流（ＩＬ、ＩＥ）の流れが止められた直後に、当該少なくとも１つのバッテリセルの開放電圧（ＶＬ１、ＶＬ２）の変化量を定める手段と、
前記充電状態、及び、前記開放電圧（ＶＬ１、ＶＬ２）の前記時間変化に基づいて温度を定める手段と、
がさらに設けられることを特徴とする、バッテリシステム。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
バッテリの温度を定める方法であって、以下の処理工程、即ち、
ａ）少なくとも１つのバッテリセルの充電状態を定める工程と、
ｂ）前記少なくとも１つのバッテリセルを通る電流（ＩＬ、ＩＥ）の流れが止められた直後に、当該少なくとも１つのバッテリセルの開放電圧（ＶＬ１、ＶＬ２）の変化量を定める工程と、
ｃ）前記充電状態、及び、前記開放電圧（ＶＬ１、ＶＬ２）の前記変化量に基づいて、前記少なくとも１つのバッテリセルの前記温度を定める工程と、
を有する方法。
【請求項２】
前記処理工程ｃ）は、前記開放電圧（ＶＬ１、ＶＬ２）の時間変化を利用して実行されることを特徴とする、請求項１に記載の方法。
【請求項３】
前記処理工程ｃ）は、前記開放電圧（ＶＬ１、ＶＬ２）の前記変化量の全プロフィールを利用して実行されることを特徴とする、請求項２に記載の方法。
【請求項４】
前記方法はバッテリ制御システムによって実行されることを特徴とする、請求項１〜３のいずれ１項に記載の方法。
【請求項５】
前記処理工程ｃ）は、データセットに基づいて実行されることを特徴とする、請求項４に記載の方法。
【請求項６】
前記処理工程ｃ）は、前記バッテリ制御システムに格納されたデータセットに基づいて実行されることを特徴とする、請求項５に記載の方法。
【請求項７】
前記定められた温度は、温度センサの利用によって検証されることを特徴とする、請求項１〜６のいずれか１項に記載の方法。
【請求項８】
前記開放電圧（ＶＬ１、ＶＬ２）の前記変化量は、周期的に定められることを特徴とする、請求項１〜７のいずれか１項に記載の方法。
【請求項９】
前記開放電圧（ＶＬ１、ＶＬ２）の前記変化量は、前記バッテリの回復段階の間に定められることを特徴とする、請求項１〜８のいずれか１項に記載の方法。
【請求項１０】
前記バッテリは、リチウムイオンバッテリであることを特徴とする、請求項１〜９のいずれか１項に記載の方法。
【請求項１１】
少なくとも１つのバッテリセルを含むバッテリを有するバッテリシステムであって、
前記バッテリセルの充電状態を定める手段と、
前記少なくとも１つのバッテリセルを通る電流（ＩＬ、ＩＥ）の流れが止められた直後に、当該少なくとも１つのバッテリセルの開放電圧（ＶＬ１、ＶＬ２）の変化量を定める手段と、
前記充電状態、及び、前記開放電圧（ＶＬ１、ＶＬ２）の時間変化に基づいて温度を定める手段と、
がさらに設けられることを特徴とする、バッテリシステム。
【国際調査報告】
2017511566.tif 000004
2017511566.tif 000005
2017511566.tif 000006
2017511566.tif 000007